(57)【要約】      （修正有）【課題】懐中電灯を充電すると共に非常用照明および警報機能を備えた非常用照明装置を提供する。【解決手段】充電台１００と、充電台１００上に取り付けられる懐中電灯とを含む。充電台１００は、充電体本体１１０、回路制御装置および複数の照明灯１３０を含む。充電台本体１１０の表面には、懐中電灯に係止するキャビティ１１１が開設される。懐中電灯は、キャビティ１１１内に係止される。回路制御ボードは、懐中電灯の内部に取り付けられる。照明灯１３０は、充電台１００の表面上に取り付けられるとともに回路制御ボードの出力端に電気的に接続される。回路制御ボードは、外部電源による懐中電灯の充電、および照明灯１３０に対する懐中電灯の電源の放電を制御する。懐中電灯は、懐中電灯の後端部に取り付けられてブザー警報を行う警報装置を含む。【選択図】図１
0003191699.tif 000002
【実用新案登録請求の範囲】
【請求項１】
充電台と、前記充電台上に取り付けて充電される懐中電灯と、を含む非常用照明装置であって、
前記充電台は、充電台本体と、回路制御装置と、複数の照明灯とを含み、
前記充電台本体の表面には、前記懐中電灯に係止するキャビティが開設され、
前記回路制御装置は、回路制御ボードと、正極接点と、負極接点とを含み、
前記正極接点および負極接点は、前記回路制御ボードに電気的に接続されるとともに、それぞれの端子が前記キャビティ内に突出し、
前記懐中電灯は、前記正極接点および負極接点にそれぞれ対応する正導電ネジおよび負導電ネジを有し、
前記懐中電灯は、前記正極接点および負極接点が前記正導電ネジおよび負導電ネジにそれぞれ対応して電気的に接続するように、前記キャビティ内に係止され、
前記回路制御ボードは、前記充電台本体の内部に取り付けられ、前記回路制御ボードの入力端子が外部電源に電気的に接続され、
前記照明灯は、前記充電台本体の表面上に取り付けられるとともに、前記回路制御ボードの出力端子に電気的に接続され、
前記回路制御ボードは、外部電源による懐中電灯の充電、および照明灯に対する懐中電灯の電源の放電を制御し、
前記懐中電灯は、懐中電灯の後端部に取り付けられてブザー警報を行う警報装置を含み、
前記警報装置は、前記懐中電灯内に取り付けられる取付台と、前記取付台内に取り付けられるブザー台と、前記ブザー台内に取り付けられるブザーと、前記ブザー台内に取り付けられて前記ブザーに電気的に接続するブザー駆動回路基板と、前記取付台の先端に取り付けられて前記ブザー駆動回路基板に電気的に接続するスイッチ制御装置と、前記取付台に取り付けられて前記ブザーに固定される導電モジュールとを含み、
前記導電モジュールは、前記懐中電灯の電源およびブザー駆動回路基板にそれぞれ電気的に接続され、
前記導電モジュールは、導電柱と、固定リングと、導電繊維板と、導電環と、導電バネとを含み、
前記導電柱の上端が、前記懐中電灯の電源の負極に電気的に接続され、前記導電柱の下端が、前記ブザー駆動回路基板の負極接点に電気的に接続され、
前記導電柱は、前記固定リング上に固定され、
前記固定リングは、前記導電繊維板上に固定され、
前記導電繊維板は、前記ブザー駆動回路基板の正極接点に電気的に接続され、
前記導電バネは、前記固定リングの外部に嵌着され、前記導電バネの下端が、前記導電繊維板に電気的に接続され、前記導電バネの上端が、前記導電環に電気的に接続され、
前記導電環は、前記固定リングの外部に嵌着されるとともに、前記懐中電灯の電源の正極に電気的に接続されることを特徴とする非常用照明装置。
【請求項２】
前記充電台は、指示灯をさらに含み、
前記指示灯は、前記充電台本体の表面に取り付けられるとともに、前記回路制御装置に電気的に接続されることを特徴とする請求項１に記載の非常用照明装置。
【請求項３】
前記キャビティの内側壁には、フランジが設けられ、
前記懐中電灯の本体の側壁には、凹溝が開設され、
前記懐中電灯が前記キャビティ内に置かれるときに、前記フランジは、前記凹溝内に嵌め込まれることを特徴とする請求項１に記載の非常用照明装置。
【請求項４】
前記充電台は、電源アダプタをさらに含み、
前記充電台本体の下底面には、挿着孔が開設され、
前記電源アダプタの出力端子は、前記挿着孔内に挿入接続されて前記回路制御装置に電気的に接続され、前記電源アダプタの入力端子は、外部の電源に電気的に接続されることを特徴とする請求項１に記載の非常用照明装置。
【請求項５】
前記警報装置は、前記取付台内に取り付けられて前記ブザーを押し当てて固定するブザープラテンをさらに含むことを特徴とする請求項１に記載の非常用照明装置。
【請求項６】
前記スイッチ制御装置は、
前記取付台内に取り付けられるスイッチ制御ボードと、
前記スイッチ制御ボードのスイッチボタン上に嵌着されるスイッチキャップと、
前記スイッチ制御ボードとスイッチキャップとの間に嵌着されるスポンジパッドと、を含み、
前記警報装置は、音響蓋をさらに含み、
前記音響蓋は、前記懐中電灯の後端部に取り付けられるとともに、その中央部が中空構造であって前記スイッチキャップを収容することを特徴とする請求項１に記載の非常用照明装置。
【請求項７】
前記警報装置は、弾性ユニットをさらに含み、
前記弾性ユニットは、接触ネジと、接触バネと、バネシャッターとを含み、
前記接触ネジには、収容孔が開設され、かつ前記接触ネジの先端がフランジに延出し、
前記接触バネは、前記導電柱の内部に内蔵され、かつ一端が前記収容孔内に収容されて前記収容孔の底面に電気的に接続され、他端が前記バネシャッターに電気的に接続され、
前記バネシャッターは、前記導電柱の下端に電気的に接続され、
前記接触ネジの頭部は、前記導電柱の上端から突出して前記懐中電灯の電源の負極に電気的に接続され、
前記フランジは、前記接触ネジが前記導電柱からの離脱を防止するように、前記導電柱の底面に抵触可能であることを特徴とする請求項１に記載の非常用照明装置。
【請求項８】
前記懐中電灯は、一体型充電発光装置をさらに含み、
前記一体型充電発光装置は、前記懐中電灯のヘッド部の前端内に内蔵された一体型の構造であり、かつ発光ユニットと、スイッチユニットと、充電ユニットと、装置本体とを含み、
前記発光ユニットは、前記装置本体の前端に取り付けられるとともにヘッド部に対向し、
前記装置本体の後端には、前記発光ユニットに電気的に接続される導電シートが固設され、
前記懐中電灯の電源の負極は、前記発光ユニットの負極に電気的に接続され、
前記充電ユニットは、前記装置本体内に内蔵され、正極導電ネジと負極導電ネジとを含み、
前記正極導電ネジの一端が、前記導電シートに電気的に接続され、その他端が前記装置本体を貫通して前記ヘッド部上に穿設され、
前記ヘッド部上に穿設される前記正極導電ネジは、前記充電台の正極接点に電気的に接続され、
前記負極導電ネジの一端が前記発光ユニットの負極に電気的に接続され、その他端が前記充電台の負極接点に電気的に接続され、
前記スイッチユニットは、前記装置本体上に取り付けられるとともに、前記懐中電灯の電源と前記発光ユニットとの電気的な接続をオンオフにすることを特徴とする請求項１に記載の非常用照明装置。
【請求項９】
前記一体型充電発光装置は、前記装置本体内に内蔵されるマイクロコントローラをさらに含み、
前記マイクロコントローラの正極が、前記発光ユニットの正極と導電シートとにそれぞれ電気的に接続され、前記マイクロコントローラの負極が、前記発光ユニットと懐中電灯の電源の負極とにそれぞれ電気的に接続され、
前記スイッチユニットの底端は、前記マイクロコントローラ上に取り付けられ、
前記スイッチユニットの頂端は、前記装置本体から突出し、
前記スイッチユニットは、前記マイクロコントローラにより前記発光ユニットによる光線の強度を制御することを特徴とする請求項８に記載の非常用照明装置。
【請求項１０】
前記懐中電灯は、耐衝撃装置をさらに含み、
前記耐衝撃装置は、導電耐衝撃シートと、導電性の緩衝バネと、中空の絶縁台とを含み、
前記絶縁台は、前記懐中電灯のヘッド部の後端内に内蔵され、
前記導電耐衝撃シートは、前記絶縁台内に内蔵されるとともに、前記緩衝バネが挿入するための挿入室が開設され、
前記導電耐衝撃シートの前端には、前記絶縁台に接する時に接触する接触部がさらに設置され、
前記緩衝バネの前端は、前記導電シートに弾接され、前記緩衝バネの後端は、弾性で前記導電耐衝撃シート内に突出して前記挿入室の底部に接触し、
前記導電耐衝撃シートの後端は、前記絶縁台から収縮可能に突出して前記懐中電灯の電源の正極に弾性接触することを特徴とする請求項１に記載の非常用照明装置。
【考案の詳細な説明】
【技術分野】
【０００１】
本考案は照明装置に関し、特に懐中電灯を充電すると共に非常用照明および警報機能を提供することができる非常用照明装置に関する。
【背景技術】
【０００２】
生産および生活の中に、人々は、爆発、火災、地震などの生産現場の事故や自然災害の随時発生に直面している。これら災害が発生した場合、通常の電源が故障したり、電源をオフにしなくてはならなかったりすることがあった。このように、通常の照明はすべて消灯されることになる。人員および財産の安全性を保障するとともに、行われていた生産や作業を適時に操作、処理し、災害または事故による被害の蔓延を効果的に抑制するために、通常、人々は、非常用照明灯を用いて一時的な照明を行う。例えば、停電時に、工場作業員は機械を適時操作することに便宜を図るように、生産工場の壁上に非常用照明灯を取り付けている。また、火災や他の危険の発生による突然の停電時に、照明を提供して人々が容易に避難するように、階段または避難通路のコーナーの壁に非常用照明灯を取り付けている。
【０００３】
一般に、既存の非常用照明灯は、バッテリー、照明灯およびコントローラを有している。通常状態において、コントローラは、照明灯を消すとともにバッテリーを充電するように制御する。コントローラは、電源のオフを検出した場合、バッテリーと照明灯の間の回路をオンにするように制御する。このとき、バッテリーにより照明灯に給電して外部へ照明を提供する。このような非常用照明灯は、事故の場合に非常に重要な役割を果たしている。しかしながら、通常、非常用照明灯は、壁上に固定されるため、必要時に別の場所で人々に使用されることができなくて、柔軟性に欠けている。生活中に、突然の停電の場合、人々は、非常用照明灯を使用すると同時に懐中電灯で照明しなければ、通常通りに活動できなくなる。
【０００４】
なお、火災が発生した場合、人々は、生存率を向上させるために、自救しながら、できるだけ早めに自分を見つけ出すように救助者を呼び出す必要がある。そのため、避難時に、人々にとって、照明機能および呼出警報機能を備えた工具が必要となる。しかしながら、現在、上述した要求に応えられる、優れたツールが開発されていない。
【考案の概要】
【考案が解決しようとする課題】
【０００５】
本考案の目的は、懐中電灯を充電すると共に非常用照明および警報機能を備えた非常用照明装置を提供することである。
【課題を解決するための手段】
【０００６】
上記目的を達成するため、本考案に係る非常用照明装置は、充電台と、前記充電台上に取り付けて充電される懐中電灯と、を含み、前記充電台は、充電台本体と、回路制御装置と、複数の照明灯とを含み、前記充電台本体の表面には、前記懐中電灯に係止するキャビティが開設され、前記回路制御装置は、回路制御ボードと、正極接点と、負極接点とを含み、
前記正極接点および負極接点は、前記回路制御ボードに電気的に接続されるとともに、それぞれの端子が前記キャビティ内に突出し、前記懐中電灯は、前記正極接点および負極接点にそれぞれ対応する正導電ネジおよび負導電ネジを有し、前記懐中電灯は、前記正極接点および負極接点が前記正導電ネジおよび負導電ネジにそれぞれ対応して電気的に接続するように、前記キャビティ内に係止され、前記回路制御ボードは、前記充電台本体の内部に取り付けられ、前記回路制御ボードの入力端子が外部電源に電気的に接続され、前記照明灯は、前記充電台本体の表面上に取り付けられるとともに、前記回路制御ボードの出力端子に電気的に接続され、前記回路制御ボードは、外部電源による懐中電灯の充電、および照明灯に対する懐中電灯の電源の放電を制御し、前記懐中電灯は、懐中電灯の後端部に取り付けられてブザー警報を行う警報装置を含み、前記警報装置は、前記懐中電灯内に取り付けられる取付台と、前記取付台内に取り付けられるブザー台と、前記ブザー台内に取り付けられるブザーと、前記ブザー台内に取り付けられて前記ブザーに電気的に接続するブザー駆動回路基板と、前記取付台の先端に取り付けられて前記ブザー駆動回路基板に電気的に接続するスイッチ制御装置と、前記取付台に取り付けられて前記ブザーに固定される導電モジュールとを含み、前記導電モジュールは、懐中電灯の前記電源およびブザー駆動回路基板にそれぞれ電気的に接続され、前記導電モジュールは、導電柱と、固定リングと、導電繊維板と、導電環と、導電バネとを含み、前記導電柱の上端が、懐中電灯の前記電源の負極に電気的に接続され、前記導電柱の下端が、前記ブザー駆動回路基板の負極接点に電気的に接続され、前記導電柱は、前記固定リング上に固定され、前記固定リングは、前記導電繊維板上に固定され、前記導電繊維板は、前記ブザー駆動回路基板の正極接点に電気的に接続され、前記導電バネは、前記固定リングの外部に嵌着され、前記導電バネの下端が、前記導電繊維板に電気的に接続され、前記導電バネの上端が、前記導電環に電気的に接続され、前記導電環は、前記固定リングの外部に嵌着されるとともに、懐中電灯の前記電源の正極に電気的に接続される。
【０００７】
好適には、前記充電台は、指示灯をさらに含み、前記指示灯は、前記充電台本体の表面に取り付けられるとともに、前記回路制御装置に電気的に接続される。前記指示灯は、使用者に懐中電灯の充電状態を通知するように、前記懐中電灯の充電時または充電完了時に、異なる信号を指示することができる。
【０００８】
好適には、前記キャビティの内側壁には、フランジが設けられ、前記懐中電灯の本体の側壁には、凹溝が開設され、前記懐中電灯が前記キャビティ内に設置されるときに、前記フランジは、前記凹溝内に嵌め込まれる。前記フランジは、前記凹溝に係合されることで、前記懐中電灯が記キャビティ上に取り付けられた場合、ガイド作用を果たす以外、前記懐中電灯を挟持して前記懐中電灯の位置決め作用を果たすことができる。これにより、前記懐中電灯が変位して前記回路制御装置の正極接点および負極接点に一致しないことを防止する。
【０００９】
好適には、前記充電台は、電源アダプタをさらに含み、前記充電台本体の下底面には、挿着孔が開設され、前記電源アダプタの出力端子は、前記挿着孔内に挿入接続されて前記回路制御装置に電気的に接続され、前記電源アダプタの入力端子は、外部の電源に電気的に接続される。前記電源アダプタは、セキュアな状態で前記懐中電灯を充電するように、外部電源の入力電圧を、前記懐中電灯の充電に対して適切な出力電圧に変換することができる。
好適には、前記警報装置は、前記取付台内に取り付けられて前記ブザーを押し当てて固定するブザープラテンをさらに含む。前記ブザープラテンが前記ブザーを押圧することにより、前記ブザーが前記ブザー台２１２内に確実に固定されることができ、前記ブザー台において、前記ブザーの振れまたは変位によるブザー機能への影響を防止する。
【００１０】
好適には、前記スイッチ制御装置は、前記取付台内に取り付けられるスイッチ制御ボードと、前記スイッチ制御ボードのスイッチボタン上に嵌着されるスイッチキャップと、前記スイッチ制御ボードとスイッチキャップとの間に嵌着されるスポンジパッドと、を含む。前記スイッチ制御ボードは、前記取付台内に取り付けられ、前記フザー駆動回路基板のオンオフを制御する。前記スポンジパッドは、前記スイッチ制御ボードを外部と隔離させて、絶縁作用を発揮する。前記スイッチキャップ２１５ｃは、前記スイッチ制御ボードのボタンを被覆し、前記スイッチ制御ボードのボタンを絶縁および保護する機能を備える。
【００１１】
好適には、前記警報装置は、音響蓋をさらに含み、前記音響蓋は、前記懐中電灯の後端部に取り付けられるとともに、その中央部が中空構造になって前記スイッチキャップを収容する。前記音響蓋により、前記ブザーが発する音声を外部へ転送することができ、かつ外部のノイズが前記懐中電灯の後端部により前記ブザー内に進入して発声機能に影響することを防止する。
【００１２】
好適には、前記警報装置は、弾性ユニットをさらに含み、前記弾性ユニットは、接触ネジと、接触バネと、バネシャッターとを含み、前記接触バネは、前記導電柱の内部に内蔵され、かつ一端が前記接触ネジに電気的に接続され、他端が前記バネシャッターに電気的に接続され、前記バネシャッターは、前記導電柱の下端に電気的に接続され、前記接触ネジの頭部は、前記導電柱の上端から突出して懐中電灯の前記電源の負極に電気的に接続される。前記導電柱内に前記接触バネが設置されることにより、前記接触バネのバネ作用力を利用して前記接触ネジを押し、前記接触ネジを電源の負極に接続するように保持し、前記導電柱と電源の接続の信頼性を保証する。
【００１３】
具体的には、前記接触ネジには、収容孔が開設され、かつ前記接触ネジの先端がフランジに延出し、前記収容孔は、前記接触バネの一端を収容するとともに、前記収容孔の底面が前記接触バネに接触する。前記フランジは、前記導電柱の底面に接触することができ、前記接触ネジが前記導電柱からの離脱を防止する。
【００１４】
好適には、前記懐中電灯は、一体型充電発光装置をさらに含み、前記一体型充電発光装置は、前記懐中電灯のヘッド部の前端内に内蔵された一体型の構造であり、発光ユニットと、スイッチユニットと、充電ユニットと、装置本体とを含み、前記発光ユニットは、前記装置本体の前端に取り付けられるとともにヘッド部に対向し、前記装置本体の後端には、前記発光ユニットに電気的に接続される導電シートが固設され、懐中電灯の前記電源の負極は、前記発光ユニットの負極に電気的に接続され、前記充電ユニットは、前記装置本体内に内蔵され、正極導電ネジと負極導電ネジとを含み、前記正極導電ネジの一端が、前記導電シートに電気的に接続され、その他端が前記装置本体を貫通して前記ヘッド部上に穿設され、前記ヘッド部上に穿設される前記正極導電ネジは、前記充電台の正極接点に電気的に接続され、前記負極導電ネジの一端が前記発光ユニットの負極に電気的に接続され、その他端が前記充電台の負極接点に電気的に接続され、前記スイッチユニットは、前記装置本体上に取り付けられるとともに、懐中電灯の前記電源と前記発光ユニットとの電気的な接続をオンオフにする。前記一体型充電発光装置は、一体型構造であるため、ヘッド部への一体型充電発光装置の着脱およびメンテナンスを容易に行うと同時に、前記一体型充電装置と懐中電灯の電源の間の電気的な接続がより良く、優れた耐衝撃性を備えるので、一体型充電発光装置をより確実に作動させる。
【００１５】
具体的に、前記一体型充電発光装置は、前記装置本体内に内蔵されるマイクロコントローラをさらに含み、前記マイクロコントローラの正極が、前記発光ユニットの正極と導電シートとにそれぞれ電気的に接続され、前記マイクロコントローラの負極が、前記発光ユニットと懐中電灯の電源の負極とにそれぞれ電気的に接続され、前記スイッチユニットの底端は、前記マイクロコントローラ上に取り付けられ、前記スイッチユニットの頂端は、前記装置本体から突出し、前記スイッチユニットは、前記マイクロコントローラにより前記発光ユニットによる光線の強度を制御する。
【００１６】
好適に、前記懐中電灯は、耐衝撃装置をさらに含み、前記耐衝撃装置は、導電耐衝撃シートと、導電性の緩衝バネと、中空の絶縁台とを含み、前記絶縁台は、前記懐中電灯のヘッド部の後端内に内蔵され、前記導電耐衝撃シートは、前記絶縁台内に内蔵されるとともに、前記緩衝バネが挿入するための挿入室が開設され、前記導電耐衝撃シートの前端には、前記絶縁台に接する時に接触するする接触部がさらに設置され、前記緩衝バネの前端は、前記導電シートに弾接され、前記緩衝バネの後端は、弾性で前記導電耐衝撃シート内に突出して前記挿入室の底部に接触し、前記導電耐衝撃シートの後端は、前記絶縁台から収縮可能に突出して懐中電灯の前記電源の正極に弾性接触する。前記緩衝バネは、前記導電耐衝撃シートと前記導電シートとの間に設置されることにより、前記一体型充電発光装置が衝突を受けた場合に緩衝作用を営み、前記一体型充電発光装置と懐中電灯の電源の衝突による接続不良を防止し、前記一体型充電発光装置と懐中電灯の前記電源の接続を維持する。
【００１７】
従来の技術に比べ、本考案では、懐中電灯を前記充電台上に取り付けるように充電台および懐中電灯を設置する。前記充電台の充電台本体上に前記照明灯が取り付けられる。前記回路制御装置により前記照明灯の点灯または消灯を制御することで、外部が停電状態になった場合、前記照明灯は、前記懐中電灯における電源を用いて発光を行うことができる。そのため、暗闇にいる人々の注意力を喚起させて、ここで非常用光源が使用できることを人々に促す一方、突然停電された場合でも人々が通常通り行動できるように暗闇で照明を提供することができる。前記充電台は、懐中電灯を充電することだけではなく、非常用照明灯としても使用可能である。また、前記懐中電灯上には、前記警報装置が設置される。前記警報装置は、前記スイッチコントローラを利用して、前記ブザーが音を発するように前記ブザー駆動回路基板を制御する。これにより、ブザー警報が実現され、緊急事故発生時に外部に救助を求めるなどの場合に重要な役割を果たす。さらに、前記警報装置は、懐中電灯上に直接に取り付けられるため、懐中電灯とする機能が増加する。そのため、人々は前記警報装置を持ち運びやすくて、使用しやすい。非常用照明装置の全体は、容易かつ柔軟に使用され、家庭、工場、廊下、地下通路および避難通路内に適用されることができ、実用性が高い。
【図面の簡単な説明】
【００１８】
【図１】図１は、本考案に係る非常用照明装置の構造を示す図である。
【図２】図２は、本考案に係る非常用照明装置の充電台の構造を示す図である。
【図３】図３は、本考案に係る非常用照明装置の充電台の断面図である。
【図４】図４は、本考案に係る非常用照明装置の断面図である。
【図５】図５は、本考案に係る非常用照明装置における懐中電灯の断面図である。
【図６】図６は、本考案に係る非常用照明装置における警報装置の断面図である。
【図７】図７は、本考案に係る非常用照明装置における警報装置を示す分解図である。
【図８】図８は、本考案に係る非常用照明装置における一体型充電発光装置の構造を示す図である。
【図９】図９は、本考案に係る非常用照明装置における一体型充電発光装置の断面図である。
【図１０】図１０は、図５に示されるＡ部分の拡大図である。
【考案を実施するための形態】
【００１９】
図１および図２に示すように、本考案に係る非常用照明装置１は、充電台１００および懐中電灯２００を含む。前記懐中電灯２００は、前記充電台１００上に取り付けられて充電される。前記充電台１００は、充電台本体１１０と、回路制御装置１２０と、複数の照明灯１３０と、指示灯１４０と、電源アダプタ１５０とを含む。前記充電台本体１００の表面には、前記懐中電灯２００を係止するキャビティ１１１が開設される。前記回路制御装置１２０は、回路制御ボード１２１と、正極接点１２２と、負極接点１２３とを含む。前記正極接点１２２および負極接点１２３は、前記回路制御ボード１２１に電気的に接続されるとともに、それぞれの端子が前記キャビティ１１１内に突出する。前記懐中電灯２００は、前記正極接点１２２および負極接点１２３にそれぞれ対応する正導電ネジ２２３ａおよび負導電ネジ２２３ｂを有する。前記懐中電灯２００は、前記正極接点１２２および負極接点１２３が前記正導電ネジ２２３ａおよび負導電ネジ２２３ｂにそれぞれ対応して電気的に接続するように、前記キャビティ１１１内に係止される。前記回路制御ボード１２１は、前記充電台本体１１０の内部に取り付けられ、前記回路制御ボード１２１の入力端子が外部電源に電気的に接続される。前記照明灯１３０は、前記充電台本体１１０の表面上に取り付けられるとともに、前記回路制御ボード１２１の出力端子に電気的に接続される。前記回路制御ボード１２１は、外部電源による懐中電灯２００の充電、および照明灯１３０に対する懐中電灯の電源２４０の放電を制御する。
【００２０】
図３および図４を合わせて参照する。前記指示灯１４０は、前記充電台本体１１０の表面に取り付けられるとともに、前記回路制御装置１２０に電気的に接続される。前記指示灯１４０は、使用者に懐中電灯２００の充電状態を通知するように、前記懐中電灯２００の充電時または充電完了時に、異なる信号を指示することができる。
【００２１】
前記キャビティ１１１の内側壁には、フランジ１１２が設けられる。前記懐中電灯２００の本体の側壁には、凹溝２０１が開設される。前記懐中電灯２００が前記キャビティ１１１内に配置されるとき、前記フランジ１１２は、前記凹溝２０１内に嵌め込まれる。前記フランジ１１２と前記凹溝２０１を係合することで、前記懐中電灯２００が記キャビティ１１１上に取り付けられた場合、前記懐中電灯２００がガイド作用を果たす以外、前記懐中電灯２００を挟持して前記懐中電灯２００の位置決め作用を果たすことができる。これにより、前記懐中電灯２００が変位されて前記回路制御装置１２０の正極接点１２２および負極接点１２３に一致しないことを防止する。
【００２２】
前記充電台本体１１０の下底面には、挿着孔１１３が開設される。前記電源アダプタ１５０の出力端子は、前記挿着孔１１３内に挿入接続されて前記回路制御装置１２０に電気的に接続される。前記電源アダプタ１５０の入力端子は、外部電源に電気的に接続される。前記電源アダプタ１５０は、セキュアな状態で前記懐中電灯２００を充電するように、外部電源の入力電圧を、前記懐中電灯２００の充電に対して適切な出力電圧に変換することができる。  
【００２３】
図５〜図７に示すように、前記懐中電灯２００は、警報装置２１０と、一体型充電発光装置２２０と、耐衝撃装置２３０と、電源２４０とを含む。前記警報装置２１０は、懐中電灯２００の後端部に取り付けられてブザー警報を行う。前記警報装置２１０は、前記懐中電灯２００内に取り付けられる取付台２１１と、前記取付台２１１内に取り付けられるブザー台２１２と、前記ブザー台２１２内に取り付けられるブザー２１３と、前記ブザー台２１２内に取り付けられて前記ブザー２１３に電気的に接続するブザー駆動回路基板２１４と、前記取付台２１１の先端に取り付けられてブザー駆動回路基板２１４ｄに電気的に接続するスイッチ制御装置２１５と、前記取付台２１１内に取り付けられて前記ブザー台２１２に固定される導電ユニット２１６と、ブザープラテン２１７と、音響蓋２１８と、弾性ユニット２１９とを含む。前記導電ユニット２１６は、懐中電灯の電源２４０およびブザー駆動回路基板２１４にそれぞれ電気的に接続され、導電柱２１６ａと、固定リング２１６ｂと、導電繊維板２１６ｃと、導電環２１６ｄと、導電バネ２１６ｅとを含む。前記導電柱２１６ａの上端が懐中電灯の前記電源２４０の負極に電気的に接続され、前記導電柱２１６ａの下端が前記ブザー駆動回路基板２１４の負極接点に電気的に接続される。前記導電柱２１６ａは、前記固定リング２１６ｂ上に固定される。前記固定リング２１６ｂは、前記導電繊維板２１６ｃ上に固定される。前記導電繊維板２１６ｃは、前記ブザー駆動回路基板２１４の正極接点に電気的に接続される。前記導電バネ２１６ｅは、前記固定リング２１６ｂの外部に嵌着され、前記導電バネ２１６ｅの下端が前記導電繊維板２１６ｃに電気的に接続され、前記導電バネ２１６ｅの上端が前記導電環２１６ｄに電気的に接続される。前記導電環２１６ｄは、前記固定リング２１６ｂの外部に嵌着されて懐中電灯の前記電源２４０の正極に電気的に接続される。
【００２４】
前記ブザープラテン２１７は、前記取付台２１１内に取り付けられて前記ブザー２１３を押し当てて固定する。前記ブザープラテン２１７が前記ブザー２１３を押圧することにより、前記ブザー２１３が前記ブザー台２１２内に確実に固定されることができ、前記ブザー台２１２において、前記ブザー２１３の振れまたは変位によるブザー機能への影響を防止する。
【００２５】
前記スイッチ制御装置２１５は、スイッチ制御ボード２１５ａと、スポンジパッド２１５ｂと、スイッチキャップ２１５ｃとを含む。前記スイッチキャップ２１５ｃは、前記スイッチ制御ボード２１５ａのスイッチボタン上に嵌着される。前記スポンジパッド２１５ｂは、前記スイッチ制御ボード２１５ａとスイッチキャップ２１５ｃとの間に嵌着される。前記スイッチ制御ボード２１５ａは、前記取付台２１１内に取り付けられ、前記フザー駆動回路基板２１４のオンオフを制御する。前記スポンジパッド２１５ｂは、前記スイッチ制御ボード２１５ａを外部と隔離させて、絶縁作用を発揮することができる。前記スイッチキャップ２１５ｃは、前記スイッチ制御ボード２１５ａのボタンを被覆し、前記スイッチ制御ボード２１５ａのスイッチボタンを絶縁および保護する機能を備える。
【００２６】
前記音響蓋２１８は、前記懐中電灯２００の後端部に取り付けられるとともに、その中央部が中空構造になって前記スイッチキャップ２１５ｃを収容する。前記音響蓋２１８により、前記ブザー２１３が発する音声を外部へ転送することができ、かつ外部のノイズが前記懐中電灯２００の後端部により前記ブザー２１３内に進入して発声機能に影響することを防止する。
【００２７】
前記弾性ユニット２１９は、接触ネジ２１９ａと、接触バネ２１９ｂと、バネシャッター２１９ｃとを含む。前記接触バネ２１９ｂは、前記導電柱２１６ａの内部に内蔵され、かつ一端が前記接触ネジ２１９ａに電気的に接続され、他端が前記バネシャッター２１９ｃに電気的に接続される。前記バネシャッター２１９ｃは、前記導電柱２１６ａの下端に電気的に接続される。前記接触ネジ２１９ａの頭部は、前記導電柱２１６ａの上端から突出して懐中電灯の電源２４０の負極に電気的に接続される。前記導電柱２１６ａ内に前記接触バネ２１９ｂが設置されることにより、前記接触バネ２１９ｂのバネ作用力を利用して前記接触ネジ２１９ａを押し、前記接触ネジ２１９ａを電源２４０の負極に接続するように保持し、前記導電柱２１６ａと電源２４０の接続の信頼性を保証する。
【００２８】
具体的に、前記接触ネジ２１９ａには、収容孔２１９１が開設され、かつ前記接触ネジ２１９ａの先端がフランジ２１９２に延出する。前記収容孔２１９１は、前記接触バネ２１９ｂの一端を収容するとともに、前記収容孔２１９１の底面が前記接触バネ２１９ｂに接触する。前記フランジ２１９２が、前記導電柱２１６ａの底面に当接することで、前記接触ネジ２１９ａの前記導電柱２１６ａからの離脱を防止する。
【００２９】
図８および図９に示すように、前記一体型充電発光装置２２０は、前記懐中電灯２００のヘッド部の前端内に内蔵された一体型の構造である。前記一体型充電発光装置２２０は、発光ユニット２２１と、スイッチユニット２２２と、充電ユニット２２３と、装置本体２２４と、マイクロコントローラ２２５とを含む。前記発光ユニット２２１は、前記装置本体２２４の前端に取り付けられるとともにヘッド部に対向する。前記装置本体２２４の後端には、前記発光ユニット２２１に電気的に接続される導電シート２２６が固設される。前記電源２４０の負極は、前記発光ユニット２２１の負極に電気的に接続される。前記充電ユニット２２３は、前記装置本体２２４内に内蔵され、かつ正極導電ネジ２２３ａと負極導電ネジ２２３ｂとを含む。前記正極導電ネジ２２３ａの一端が前記導電シート２２６に電気的に接続され、前記正極導電ネジ２２３ａの他端が前記装置本体２２４を貫通してヘッド部上に穿設される。ヘッド部上に穿設される前記正極導電ネジ２２３ａは、前記充電台の正極接点１２２に電気的に接続される。前記負極導電ネジ２２３ｂの一端が前記発光ユニット２２１の負極に電気的に接続され、前記負極導電ネジ２２３ｂの他端が前記充電台の負極接点１２３に電気的に接続される。前記スイッチユニット２２２は、前記装置本体２２４上に取り付けられるとともに、懐中電灯の電源２４０と前記発光ユニット２２１との電気的な接続をオンオフする。前記一体型充電発光装置２２０は、一体型構造であるため、ヘッド部への一体型充電発光装置２２０の着脱およびメンテナンスを容易に行うと同時に、前記一体型充電装置２２０と懐中電灯の電源２４０の間の電気的な接続がより良く、優れた耐衝撃性を備えるので、一体型充電発光装置２２０をより確実に作動させる。
【００３０】
前記マイクロコントローラ２２５の正極は、前記発光ユニット２２１の正極と導電シート２２６とにそれぞれ電気的に接続される。前記マイクロコントローラ２２５の負極は、前記発光ユニット２２１と懐中電灯の電源２４０の負極とにそれぞれ電気的に接続される。前記スイッチユニット２２２の底端は、前記マイクロコントローラ２２５上に取り付けられる。前記スイッチユニット２２２の頂端は、前記装置本体２２４から突出する。前記スイッチユニット２２２は、前記マイクロコントローラ２２５により前記発光ユニット２２１による光線の強度を制御する。
【００３１】
図１０に示すように、前記耐衝撃装置２３０は、導電耐衝撃シート２３０ａと、導電性の緩衝バネ２３０ｂと、中空の絶縁台２３０ｃとを含む。前記絶縁台２３０ｃは、前記懐中電灯２００のヘッド部の後端内に内蔵される。前記導電耐衝撃シート２３０ａは、前記絶縁台２３０ｃ内に内蔵されるとともに、前記緩衝バネ２３０ｂが挿入するための挿入室２３０ａ１が開設される。前記導電耐衝撃シート２３０ａの前端には、前記絶縁台２３０ｃに接する時に接触する接触部２３０ａ２がさらに設置される。前記緩衝バネ２３０ｂの前端は、前記導電シート２２６に弾接される。前記緩衝バネ２３０ｂの後端は、弾性で前記導電耐衝撃シート２３０ａ内に挿入して前記挿入室２３０ａ１の底部に接触する。前記導電耐衝撃シート２３０ａの後端は、前記絶縁台２３０ｃから伸縮可能に突出して懐中電灯の電源２４０の正極に弾性接触する。前記緩衝バネ２３０ｂは、前記導電耐衝撃シート２３０ａと前記導電シート２６０との間に設置されることにより、前記一体型充電発光装置２２０が衝突を受けた場合に緩衝作用を営み、前記一体型充電発光装置２２０と懐中電灯の電源２４０の衝突による接続不良を防止し、前記一体型充電発光装置２２０と前記懐中電灯の電源２４０の接続を維持する。
【００３２】
従来の技術に比べ、本考案では、懐中電灯２００を前記充電台１００上に取り付けるように充電台１００および懐中電灯２００を設置する。前記充電台１００の充電台本体１１０上に前記照明灯１３０が取り付けられる。前記回路制御装置１２０により前記照明灯１３０の点灯または消灯を制御することで、外部が停電状態になった場合、前記照明灯１３０は、前記懐中電灯２００における電源２４０を用いて発光を行うことができる。そのため、暗闇にいる人々の注意力を喚起させて、ここで非常用光源が使用できることを人々に促す一方、突然停電された場合でも人々が通常通り行動できるように暗闇で照明を提供することができる。前記充電台１００は、懐中電灯２００を充電することだけではなく、非常用照明灯としても使用可能である。また、前記懐中電灯２００上には、前記警報装置２１０が設置される。前記警報装置２１０は、前記スイッチコントローラ２１５を利用して、前記ブザー２１３が音を発するように前記ブザー駆動回路基板２１４を制御する。これにより、ブザー警報が実現され、緊急事故発生時に外部に救助を求めるなどの場合に重要な役割を果たす。さらに、前記警報装置２１０は、懐中電灯上に直接に取り付けられるため、懐中電灯とする機能が増加する。そのため、人々は前記警報装置２１０を容易に持ち運び、かつ使用することができる。非常用照明装置１の全体は、容易かつ柔軟に使用され、家庭、工場、廊下、地下通路および避難通路内に適用されることができ、実用性が高い。
【００３３】
上述したのは、本考案の好ましい実施例であり、本考案の請求の保護範囲に何らの制限を加わるものではない。よって、本考案の実用新案登録請求の範囲および明細書に記載された内容に基づいて行った等価の変更や修正に関する全ては、本考案の実用新案登録請求の範囲内に含まれる。
【図１】
0003191699.tif 000003
【図２】
0003191699.tif 000004
【図３】
0003191699.tif 000005
【図４】
0003191699.tif 000006
【図５】
0003191699.tif 000007
【図６】
0003191699.tif 000008
【図７】
0003191699.tif 000009
【図８】
0003191699.tif 000010
【図９】
0003191699.tif 000011
【図１０】
0003191699.tif 000012